(57)【要約】【課題】正面輝度が高い面光源装置、透過型表示装置を提供する。【解決手段】面光源装置１０は、面状光源部２０と、その出光側に配置され、出光側の面に単位プリズム１３２，１４２が複数配列された第１プリズムシート１３及び第２プリズムシート１４とを備える。面状光源部２０は、導光板２２と、その入光面２２ａに沿って延在する発光部２１とを備える。第１プリズムシート１３の単位プリズム１３２の稜線方向を方向Ｒ１、第２プリズムシート１４の単位プリズム１４２の稜線方向を方向Ｒ２、発光部２１の延在方向を方向Ｒ０とするとき、面光源装置１０の出光面の法線方向から見て、方向Ｒ１と方向Ｒ２とは直交し、かつ、いずれも方向Ｒ０に対して傾斜し、導光方向及び面光源装置の厚み方向に平行な面において、面状光源部２０からの出射光の輝度がピークとなる出射角度φ１は、４０°以上５５°以下である。【選択図】図１
2017208287.tif 000002
【特許請求の範囲】
【請求項１】
面光源装置であって、
面状に光を出射する面状光源部と、
前記面状光源部よりも出光側に配置され、出光側の面に柱状の単位プリズム形状が複数配列されたプリズム形状を有する第１プリズムシートと、
前記第１プリズムシートよりも出光側に配置され、出光側の面に柱状の単位プリズム形状が複数配列されたプリズム形状を有する第２プリズムシートと、
を備え、
前記面状光源部は、
略板状であって、光が入射する入光面と、前記入光面に交差し光が出射する出光面と、前記出光面に対向する背面と、前記入光面に対向する対向面とを有し、前記入光面から入射した光を、前記入光面から前記対向面へ向かう方向を導光方向として、前記導光方向へ導光しながら前記出光面から出射する導光板と、
前記導光板の前記入光面に対面する位置に、前記入光面に沿って延在する発光部と、
を備え、
前記第１プリズムシートの前記単位プリズム形状の稜線方向を方向Ｒ１とし、前記第２プリズムシートの前記単位プリズム形状の稜線方向を方向Ｒ２とし、前記発光部の延在方向を方向Ｒ０とするとき、該面光源装置の出光面の法線方向から見て、前記方向Ｒ１と前記方向Ｒ２とは直交し、かつ、いずれも前記方向Ｒ０に対して傾斜し、
前記導光方向及び該面光源装置の厚み方向に平行な面において、前記面状光源部からの出射光の輝度がピークとなる出射角度φ１は、４０°以上５５°以下であること、
を特徴とする面光源装置。
【請求項２】
請求項１に記載の面光源装置において、
前記面状光源部は、前記導光板よりも出光側に光を拡散する作用を有する面状光源部側光拡散シートを備えること、
を特徴とする面光源装置。
【請求項３】
請求項１又は請求項２に記載の面光源装置において、
前記方向Ｒ１と前記方向Ｒ２とは、該面光源装置の厚み方向から見て、前記方向Ｒ０に対して、一方が４５°をなし、他方が１３５°をなすこと、
を特徴とする面光源装置。
【請求項４】
請求項１から請求項３までのいずれか１項に記載の面光源装置において、
前記出射角度φ１は、４３°以上５５°以下であること、
を特徴とする面光源装置。
【請求項５】
請求項１から請求項４までのいずれか１項に記載の面光源装置において、
前記プリズム形状は、その頂角が９０°であること、
を特徴とする面光源装置。
【請求項６】
請求項１から請求項５までのいずれか１項に記載の面光源装置において、
前記面状光源部は、前記導光板よりも背面側に、光を反射する反射シートを備え、
前記反射シートでの反射光は、拡散反射成分よりも鏡面反射成分が多いこと、
を特徴とする面光源装置。
【請求項７】
請求項１から請求項６までのいずれか１項に記載の面光源装置と、
前記面光源装置によって背面側から照明される透過型表示部と、
を備える透過型表示装置。
【発明の詳細な説明】
【技術分野】
【０００１】
本発明は、面光源装置、透過型表示装置に関するものである。
【背景技術】
【０００２】
従来、ＬＣＤ（Ｌｉｑｕｉｄ  Ｃｒｙｓｔａｌ  Ｄｉｓｐｌａｙ）パネル等の透過型表示部を背面から面光源装置（バックライト）によって照明し、映像を表示する透過型表示装置が知られている。
面光源装置は、大きく分けて、各種光学シート等の光学部材の直下に光源を配置する直下型のものと、光学部材の側面側に光源が配置されるエッジライト型のものがある。このうち、エッジライト型の面光源装置は、光源を導光板等の光学部材の側面側に配置することから、直下型のものに比べて面光源装置をより薄型化できるという利点を有し、近年広く用いられている。
【０００３】
面光源装置は、直下型、エッジライト型を問わず、常々、明るさの面均一性向上や、光の利用効率向上、正面輝度向上等のために様々な対策がなされている。
例えば、ＬＣＤパネル側に三角柱状の単位プリズムが配列されたプリズム形状を有するプリズムシート２枚を、単位プリズムの稜線方向が直交するように配置した面光源装置（特許文献１，２参照）や、導光板側にプリズム形状を有するプリズムシートを用いた面光源装置（特許文献３，４参照）等が知られている。
【先行技術文献】
【特許文献】
【０００４】
【特許文献１】特表平１０−５０６５００号公報
【特許文献２】特開２００７−２２７４０５号公報
【特許文献３】特開２００３−５９３２１号公報
【特許文献４】特開２０１３−１６１７４３号公報
【発明の概要】
【発明が解決しようとする課題】
【０００５】
しかし、例えば、導光板側にプリズム形状が形成されたプリズムシートを用いる面光源装置では、正面輝度の向上や部材点数を少なくできる等の利点がある一方で、プリズム形状による導光板の傷つきや、導光板とその背面側に配置される反射シートとの光学密着等の問題等があった。
また、このような面光源装置では、導光板等を、導光板側にプリズム形状が形成されたプリズムシートを組み合わせて用いる形態専用に設計する必要があり、設計等が複雑であり、生産コストがかさむという問題があった。
【０００６】
ＬＣＤパネル側にプリズム形状が形成されたプリズムシートを、その単位プリズムの稜線方向が直交するように配置した面光源装置では、一般的には、一方の単位プリズムの稜線方向は、導光板の入光面に背面する位置に配列されたＬＥＤ（Ｌｉｇｈｔ  Ｅｍｉｔｔｉｎｇ  Ｄｉｏｄｅ）等の点光源の配列方向に対して平行な方向とし、他方の単位プリズムの稜線方向は、発光部の配列方向に対して直交する方向とすることにより、正面輝度の向上を図っている。
このような面光源装置では、前述のような導光板の傷つきや光学密着等の問題は低減されるが、正面輝度に関しては、所望する輝度が得られているとは言い難く、さらなる正面輝度の向上が望まれている。
【０００７】
本発明の課題は、正面輝度が高い面光源装置、透過型表示装置を提供することである。
【課題を解決するための手段】
【０００８】
本発明は、以下のような解決手段により、前記課題を解決する。なお、理解を容易にするために、本発明の実施形態に対応する符号を付して説明するが、これに限定されるものではない。
請求項１の発明は、面光源装置であって、面状に光を出射する面状光源部（２０）と、前記面状光源部よりも出光側に配置され、出光側の面に柱状の単位プリズム形状（１３２）が複数配列されたプリズム形状を有する第１プリズムシート（１３）と、前記第１プリズムシートよりも出光側に配置され、出光側の面に柱状の単位プリズム形状（１４２）が複数配列されたプリズム形状を有する第２プリズムシート（１４）と、を備え、前記面状光源部は、略板状であって、光が入射する入光面（２２ａ）と、前記入光面に交差し光が出射する出光面（２２ｃ）と、前記出光面に対向する背面（２２ｄ）と、前記入光面に対向する対向面（２２ｂ）とを有し、前記入光面から入射した光を、前記入光面から前記対向面へ向かう方向を導光方向として、前記導光方向へ導光しながら前記出光面から出射する導光板（２２）と、前記導光板の前記入光面に対面する位置に、前記入光面に沿って延在する発光部（２１）と、を備え、前記第１プリズムシートの前記単位プリズム形状の稜線方向を方向Ｒ１とし、前記第２プリズムシートの前記単位プリズム形状の稜線方向を方向Ｒ２とし、前記発光部の延在方向を方向Ｒ０とするとき、該面光源装置の出光面の法線方向から見て、前記方向Ｒ１と前記方向Ｒ２とは直交し、かつ、いずれも前記方向Ｒ０に対して傾斜し、前記導光方向及び該面光源装置の厚み方向に平行な面において、前記面状光源部からの出射光の輝度がピークとなる出射角度φ１は、４０°以上５５°以下であること、を特徴とする面光源装置（１０）である。
請求項２の発明は、請求項１に記載の面光源装置において、前記面状光源部（２０）は、前記導光板（２２）よりも出光側に光を拡散する作用を有する面状光源部側光拡散シート（２３）を備えること、を特徴とする面光源装置（１０）である。
請求項３の発明は、請求項１又は請求項２に記載の面光源装置において、前記方向Ｒ１と前記方向Ｒ２とは、該面光源装置の厚み方向から見て、前記方向Ｒ０に対して、一方が４５°をなし、他方が１３５°をなすこと、を特徴とする面光源装置（１０）である。
請求項４の発明は、請求項１から請求項３までのいずれか１項に記載の面光源装置において、前記出射角度φ１は、４３°以上５５°以下であること、を特徴とする面光源装置（１０）である。
請求項５の発明は、請求項１から請求項４までのいずれか１項に記載の面光源装置において、前記プリズム形状（１３２，１４２）は、その頂角（γ）が９０°であること、を特徴とする面光源装置（１０）である。
請求項６の発明は、請求項１から請求項５までのいずれか１項に記載の面光源装置において、前記面状光源部（２０）は、前記導光板（２２）よりも背面側に、光を反射する反射シート（２４）を備え、前記反射シートでの反射光は、拡散反射成分よりも鏡面反射成分が多いこと、を特徴とする面光源装置（１０）である。
請求項７の発明は、請求項１から請求項６までのいずれか１項に記載の面光源装置（１０）と、前記面光源装置によって背面側から照明される透過型表示部（１１）と、を備える透過型表示装置（１）である。
【発明の効果】
【０００９】
本発明によれば、正面輝度が高い面光源装置、透過型表示装置を提供することができる。
【図面の簡単な説明】
【００１０】
【図１】実施形態の透過型表示装置１を説明する図である。
【図２】実施形態の導光板２２の形状を説明する図である。
【図３】実施形態の第１単位光学形状２２１の配列方向（Ｘ方向）の各部における形状を示す図である。
【図４】実施形態のプリズムシート群１２の第１プリズムシート１３、第２プリズムシート１４を説明する図である。
【図５】面状光源部２０からの出射角度φ１及びシミュレーション時の測定条件を説明する図である。
【図６】面状光源部２０からの出射角度φ１を４３°，４９°，５５°とした場合の光線の様子を示す図である。
【図７】変形形態の第２単位光学形状２２５を説明する図である。
【図８】変形形態の導光板２２の形状を説明する図である。
【図９】変形形態の導光板２２及び第１単位光学形状２２１を説明する図である。
【発明を実施するための形態】
【００１１】
以下、図面等を参照して、本発明の実施形態について説明する。なお、図１を含め、以下に示す各図は、模式的に示した図であり、各部の大きさ、形状は、理解を容易にするために、適宜誇張している。
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書中に記載する各部材の寸法等の数値及び材料名等は、実施形態としての一例であり、これに限定されるものではなく、適宜選択して使用してよい。
【００１２】
本明細書中において、板、シート等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
また、本明細書中において、シート面（板面，フィルム面）とは、各シート（板，フィルム）において、そのシート（板，フィルム）全体として見たときにおける、シート（板，フィルム）の平面方向となる面を示すものであるとする。
【００１３】
（実施形態）
図１は、本実施形態の透過型表示装置１を説明する図である。
本実施形態の透過型表示装置１は、ＬＣＤパネル１１と面光源装置１０とを備えている。透過型表示装置１は、ＬＣＤパネル１１を背面側から面光源装置１０で照明し、ＬＣＤパネル１１に形成される映像情報を表示する。
なお、図１を含め以下の図中及び以下の説明において、理解を容易にするために、透過型表示装置１の使用状態において、透過型表示装置１の画面に平行であって互いに直交する２方向をＸ方向（Ｘ１−Ｘ２方向）、Ｙ方向（Ｙ１−Ｙ２方向）とし、透過型表示装置１の画面に直交する方向をＺ方向（Ｚ１−Ｚ２方向、厚み方向）とする。なお、Ｚ方向においてＺ１側が背面側であり、Ｚ２側は観察者側である。
本実施形態の透過型表示装置１の画面は、ＬＣＤパネル１１の最も観察者側の面（以下、表示面という）１１ａに相当し、透過型表示装置１の「正面方向」とは、この表示面１１ａの法線方向であり、Ｚ方向に平行であり、後述する第１プリズムシート１３等のシート面への法線方向や導光板２２の板面等への法線方向と一致するものとする。
【００１４】
ＬＣＤパネル１１は、透過型の液晶表示素子により形成され、その表示面に映像情報を形成する透過型表示部である。
このＬＣＤパネル１１は、略平板状である。ＬＣＤパネル１１の外形及び表示面１１ａは、Ｚ方向から見て矩形形状であり、Ｘ方向に平行な対向する２辺と、Ｙ方向に平行な対向する２辺とを有している。
【００１５】
面光源装置１０は、ＬＣＤパネル１１を背面側から照明する装置であり、面状光源部２０、プリズムシート群１２、光拡散シート１５を備えている。面状光源部２０は、第１プリズムシート１３等へ光を出射する面状の光源部であり、発光部２１、導光板２２、光拡散シート２３、反射シート２４を備えている。プリズムシート群１２は、第１プリズムシート１３、第２プリズムシート１４を有している。この面光源装置１０は、所謂、エッジライト型の面光源装置（バックライト）である。
この面光源装置１０を構成するプリズムシート群１２（第１プリズムシート１３、第２プリズムシート１４）、光拡散シート１５、及び、面状光源部２０を構成する導光板２２、光拡散シート２３、反射シート２４等は、正面方向（Ｚ方向）から見て矩形形状であり、Ｘ方向に平行な対向する２辺と、Ｙ方向に平行な対向する２辺とを有している。
【００１６】
発光部２１は、ＬＣＤパネル１１を照明する光を発する部分である。この発光部２１は、導光板２２のＸ方向の一方（Ｘ１側）の端面である入光面２２ａに対面する位置に、Ｙ方向に沿って配置されている。
発光部２１は、点光源２１１がＹ方向に所定の間隔で複数配列されて形成されている。この点光源２１１は、ＬＥＤ光源を用いている。なお、発光部２１は、例えば、冷陰極管等の線光源としてもよいし、Ｙ方向に延在するライトガイドの端面に光源を配置した形態としてもよい。また、発光部２１の発する光の利用効率を向上させる観点から、発光部２１の外側を覆うように不図示の反射板を設けてもよい。
【００１７】
導光板２２は、光を導光する略平板状の部材であり、入光面２２ａと、これに対向する対向面２２ｂと、入光面２２ａと交差し光が出射する出光面２２ｃと、出光面２２ｃに対向する背面２２ｄとを有している。
本実施形態では、入光面２２ａ及び対向面２２ｂは、導光板２２のＸ方向の両端部（Ｘ１側端部、Ｘ２側端部）に位置し、板面の法線方向（Ｚ方向）から見てＹ方向に平行に延在する２辺である。
また、導光板２２の板面は、ＸＹ面に平行である。
この導光板２２は、発光部２１が発する光を入光面２２ａから入射させ、出光面２２ｃと背面２２ｄとで全反射させながら、入光面２２ａに対向する対向面２２ｂ側（Ｘ２側）へ、主としてＸ方向に導光しながら、出光面２２ｃからＬＣＤパネル側（Ｚ２側）へ適宜出射させる。
以下、導光板２２の各部について説明する。
【００１８】
図２は、本実施形態の導光板２２の形状を説明する図である。図２（ａ）は、第２単位光学形状２２５を説明する図であり、図２（ｂ）は、第１単位光学形状２２１を説明する図である。図２（ａ）では、導光板２２のＹＺ面に平行な断面の一部を拡大して示し、図２（ｂ）では、導光板２２のＸＺ面に平行な断面の一部を拡大して示している。
第２単位光学形状２２５は、図１及び図２（ａ）に示すように、出光側（ＬＣＤパネル１１側、Ｚ２側）に凸となる柱状であり、長手方向（稜線方向）をＸ方向とし、Ｙ方向に複数配列されている。
第２単位光学形状２２５は、図２（ａ）に示すように、その配列方向（Ｙ方向）及び導光板２２の板面に直交する方向（厚み方向、Ｚ方向）での断面（ＹＺ面）での断面形状が円の一部形状である。
また、第２単位光学形状２２５の配列ピッチは、Ｐ２である。本実施形態では、第２単位光学形状２２５の配列ピッチＰ１は、その配列方向の幅Ｗ２に等しい（Ｐ２＝Ｗ２）形態となっている。
【００１９】
第２単位光学形状２２５の配列ピッチＰ２は、１０〜１００μｍ程度とすることが好ましい。
配列ピッチＰ２がこの範囲よりも小さいと、第２単位光学形状２２５の製造が困難となり、設計通りの形状が得られなくなる。また、配列ピッチＰ２がこの範囲よりも大きいと、ＬＣＤパネル１１の画素とのモアレが生じやすくなったり、面光源装置１０等としての使用状態において、第２単位光学形状２２５のピッチが認識されやすくなったりする。従って、配列ピッチＰ２は、上記範囲とすることが好ましい。
【００２０】
なお、第２単位光学形状２２５は、上記の例に限らず、例えば、断面形状が三角形形状や台形形状、五角形形状等の多角柱形状や、長軸が導光板２２の板面に直交する楕円柱の一部形状としてもよいし、複数種類の曲面や平面を組み合わせてなる形状としてもよい。
また、例えば、第２単位光学形状２２５は、断面形状が三角形形状等である場合に、その頂角が９０°としてもよい。
【００２１】
第２単位光学形状２２５は、導光板２２の主たる光の導光方向（Ｘ方向）に直交する方向（Ｙ方向）に配列されており、出光面２２ｃから出射する光に対して、その配列方向における光線制御作用を有する。従って、第２単位光学形状２２５は、その形状に応じて、導光板２２からの出射光のＹ方向における明るさの均一性等を向上させることができる。
なお、このようなＹ方向における光線制御作用を必要としない場合には、出光面２２ｃに第２単位光学形状２２５を形成しない形態としてもよい。
【００２２】
第１単位光学形状２２１は、図１，図２（ｂ）に示すように、背面側（Ｚ１側）に凸となる柱状であり、長手方向（稜線方向）をＹ方向とし、導光方向となるＸ方向に複数配列されている。
第１単位光学形状２２１は、図２（ｂ）に示すように、その配列方向（Ｘ方向）に平行であって導光板２２の板面に直交する方向（厚み方向、Ｚ方向）における断面（ＸＺ面）における断面形状が略台形形状である。第１単位光学形状２２１は、入光面側（Ｘ１側）に位置する第１斜面部２２２と、対向面側（Ｘ２側）に位置し、入射する光の少なくとも一部を全反射する第２斜面部２２３と、第１斜面部２２２及び第２斜面部２２３との間に位置する頂面部２２４とを有している。
【００２３】
第１斜面部２２２は、導光板２２の板面（出光面２２ｃに平行な面、ＸＹ面に平行な面）と角度βをなしている。また、第２斜面部２２３は、導光板２２の板面に平行な面と角度αをなしている。角度α，βは、α＜βを満たしている。
第１斜面部２２２は、入光面側端部よりも対向面側（頂面部側）端部が背面側となるように傾斜しており、出光面２２ｃ（ＸＹ面に平行な面）における導光板２２と空気との臨界角をδとするとき、（９０°−δ）＜βを満たしている。従って、入光面２２ａから対向面２２ｂ側へ（Ｘ１側からＸ２側へ）導光する光のうち、出光面２２ｃで全反射して背面側へ進む光は、第１斜面部２２２には入射せず、その多くが頂面部２２４及び第２斜面部２２３に入射する。
【００２４】
頂面部２２４は、第１斜面部２２２と第２斜面部２２３との間に位置している。本実施形態の頂面部２２４は、導光板２２の板面（出光面２２ｃ）に平行な面である。
第２斜面部２２３は、導光板２２内を導光する光の一部が入射し、かつ、その入射した光の少なくとも一部を全反射する。第２斜面部２２３で全反射した光は、出光面２２ｃ（ＸＹ面に平行な面）に対する入射角度が小さくなる方向に、その進行方向が変化する。そして、出光面２２ｃに臨界角未満で入射した光は、出光面２２ｃから出射する。本実施形態の角度αは、５°≦α≦３０°を満たすことが好ましい。
【００２５】
α＜５°であると、導光方向（Ｘ方向）に進む光が、第２斜面部２２３で全反射したとき、全反射前後での出光面２２ｃ（ＸＹ面に平行な面）となす角度の変化量が小さく、出光面２２ｃから出射する光の出射角度が大きくなりすぎる。そのため、プリズムシート群１２での正面方向への光の偏向作用が不十分となり、収束性が低下して、正面輝度が低下するため好ましくない。
また、α＞３０°であると、導光方向（Ｘ方向）に進む光が、第２斜面部２２３で全反射したとき、全反射前後での出光面２２ｃ（ＸＹ面に平行な面）となす角度の変化量が大きく、出光面２２ｃから出射する光の出射角度が小さくなりすぎる。そのため、導光効率が低下したり、プリズムシート群１２での正面方向への光の偏向作用が不十分となり、正面輝度が低下したりするため好ましくない。
以上のことから、角度αは、上記の範囲内とすることが好ましい。
【００２６】
第１単位光学形状２２１の配列ピッチは、Ｐ１である。また、配列ピッチＰ１は、導光方向において一定である。
配列ピッチＰ１は、Ｐ１＝３０〜３００μｍ程度とすることが好ましい。
配列ピッチＰ１がこの範囲よりも小さいと、第１単位光学形状２２１の形成が困難となる。また、配列ピッチＰ１がこの範囲よりも大きいと、面光源装置１０の使用状態において、第１単位光学形状２２１が筋状に視認されたり、ＬＣＤパネル１１の画素とのモアレが生じたりする可能性がある。従って、配列ピッチＰ１は、上記範囲とすることが好ましい。
本実施形態の配列ピッチＰ１は、第１単位光学形状２２１の配列方向の幅Ｗ１に等しい（Ｐ１＝Ｗ１）形態となっている。
【００２７】
図３は、本実施形態の第１単位光学形状２２１の配列方向（Ｘ方向）の各部における形状を示す図である。図３（ａ）は、入光面２２ａ近傍であり、図３（ｂ）は、対向面２２ｂ近傍である。
第１単位光学形状２２１の配列方向において、第１単位光学形状２２１の幅Ｗ１とし、頂面部２２４の寸法Ｗｂ、第２斜面部２２３が占める寸法Ｗａとする。
第１単位光学形状２２１は、その配列方向（Ｘ方向）において、配列ピッチＰ１、幅Ｗ１、角度α，βは一定である。しかし、第１単位光学形状２２１の幅Ｗ１に対する第２斜面部２２３の寸法Ｗａの比Ｗａ／Ｗ１は、配列方向に沿って入光面２２ａから離れるにつれて大きくなっている。これに伴い、第１単位光学形状２２１の幅Ｗ１に対する頂面部２２４の寸法Ｗｂの比Ｗｂ／Ｗ１は、配列方向に沿って入光面２２ａから離れるにつれて小さくなっている。
【００２８】
即ち、図３（ａ）に示すように、入光面２２ａ近傍では、第１単位光学形状２２１の幅Ｗ１に対して頂面部２２４の寸法Ｗｂが占める比Ｗｂ／Ｗ１が大きく、第１単位光学形状２２１の幅Ｗ１に対して第１斜面部２２２及び第２斜面部２２３の寸法Ｗａが占める比Ｗａ／Ｗ１が小さい。
そして、対向面側（Ｘ２側）へ進むにつれて、次第に比Ｗａ／Ｗ１が大きく、比Ｗｂ／Ｗ１が小さくなり、対向面２２ｂ近傍では、図３（ｂ）に示すように、比Ｗａ／Ｗ１が大きく、比Ｗｂ／Ｗ１が小さい。
このように、対向面側へ向かうにつれて、第２斜面部２２３が占める比率を大きくすることにより、効率よく光を出光させることができ、導光方向における明るさの均一性も向上する。
【００２９】
なお、本実施形態の導光板２２では、その総厚（第２単位光学形状２２５の頂点から第１単位光学形状２２１の頂面部２２４までの厚さ（Ｚ方向の寸法））は、導光方向（Ｘ方向）において一定であり、対向面側に向かうにつれて、第２斜面部２２３及び第１斜面部２２２によって形成される溝の深さが深くなる形態となっている。
【００３０】
本実施形態の導光板２２は、第１単位光学形状２２１を賦形する成形型と、第２単位光学形状２２５を賦形する成形型とを用いて、押出成形法や射出成形する等により形成される。使用する熱可塑性樹脂は、光透過性が高いものであれば特に限定されないが、例えば、アクリル系樹脂、ＣＯＰ（シクロオレフィンポリマー）樹脂、ＰＣ樹脂等が挙げられる。
なお、これに限らず、押出成形等により成形したシート状の部材の両面に、紫外線成形法によって、第１単位光学形状２２１及び第２単位光学形状２２５を一体に形成して、導光板２２としてもよい。
【００３１】
図１に戻って、光拡散シート２３は、導光板２２の出光側（Ｚ１側）に配置されている。この光拡散シート２３は、光を拡散する作用を有している。
光拡散シート２３は、各種汎用の光拡散性を有するシート状の部材を、導光板２２の光学特性や所望する拡散の大きさ等に合わせて、適宜選択して用いてよい。
光拡散シート２３としては、拡散材を含有する樹脂製のシート状の部材や、基材となる樹脂製のシート状の部材の少なくとも片面等に拡散材を含有するバインダをコートした部材や、基材となる樹脂製のシート状の部材の片面等にマイクロレンズアレイが形成されたマイクロレンズシート等を用いることができる。
【００３２】
反射シート２４は、光を反射可能なシート状の部材であり、導光板２２よりも背面側（Ｚ１側）に配置されている。
反射シート２４は、光を反射可能であり、第１プリズムシート１３や第２プリズムシート１４等により導光板２２側へ反射される等して導光板２２よりも背面側へ向かった光を、反射して導光板２２側へ向ける部材である。
反射シート２４は、光の利用効率や後述する第１プリズムシート１３等による集光作用等を高める観点等から、主として鏡面反射性（正反射性）を有するものが好ましい。反射シート２４は、例えば、少なくとも反射面（導光板２２側の面）が金属等の高い反射率を有する材料により形成されたシート状の部材、高い反射率を有する材料により形成された薄膜（例えば金属薄膜）を表面層として備えるシート状の部材等を用いることができる。
なお、これに限らず、反射シート２４は、例えば、高屈折率膜と低屈折率膜とが交互に複数積層された誘電体多層膜を表面層として備えるシート状の部材等を用いてもよい。また、反射シート２４は、例えば、主として拡散反射性を有し、反射率の高い白色の樹脂製のシート状部材等としてもよい。
【００３３】
発光部２１の点光源（ＬＥＤ光源）２１１から投射され、入光面２２ａから導光板２２に入射した光は、前述のように、出光面２２ｃと背面２２ｄ（頂面部２２４及び第２斜面部２２３）とで反射しながら、対向面側（Ｘ２側）へ進む。そして、出光面２２ｃに対して臨界角未満で入射した光は、出光面２２ｃから適宜出射する。この導光板２２からの出射光は、所定の出射角度に輝度のピークを有し、所定の角度範囲内にその多くが進む指向性を有している。
そして、導光板２２から出射した光は、光拡散シート２３によって指向性を失わない程度の拡散作用を受ける。光拡散シート２３からの出射光、即ち、面状光源部２０からの出射光は、所定の出射角度に輝度のピークを有し、所定の角度範囲内にその多くが進む指向性を有している。このとき、面状光源部２０からの出射光の輝度のピークとなる出射角度やその輝度の大きさは、導光板２２からの出射光とは変化している。
【００３４】
図４は、本実施形態のプリズムシート群１２の第１プリズムシート１３、第２プリズムシート１４を説明する図である。図４（ａ）では、第１プリズムシート１３の単位プリズム１３２の配列方向及び厚み方向に平行な断面の一部を拡大して示している。なお、図４（ａ）において第１プリズムシート１３の各部の符号の隣等に括弧内に示す符号は、それに対応する第２プリズムシート１４の各部の符号である。図４（ｂ）では、プリズムシート群１２及び発光部２１をＺ方向からみた様子を示している。
プリズムシート群１２は、面状光源部２０よりもＬＣＤパネル１１側（Ｚ２側）に配置されている（図１参照）。
プリズムシート群１２は、面状光源部２０のＬＣＤパネル側（Ｚ２側）に配置される第１プリズムシート１３と、そのＬＣＤパネル側に配置される第２プリズムシート１４を備えている。
プリズムシート群１２は、面状光源部２０から出射した光の進行方向を、正面方向（Ｚ方向）又は、Ｚ方向となす角度が小さい方向へ偏向（集光）する作用を有している。
【００３５】
まず、第１プリズムシート１３の形状について説明する。
第１プリズムシート１３は、基材層１３１と、基材層１３１のＬＣＤパネル１１側（Ｚ２側）に単位プリズム１３２が複数配列されて形成されたプリズム形状を有するシート状の部材である。
基材層１３１は、第１プリズムシート１３のベース（基材）となる部分である。基材層１３１は、光透過性を有する樹脂製のシート状の部材が用いられている。
【００３６】
単位プリズム１３２は、ＬＣＤパネル１１側（Ｚ２側）に凸となる三角柱形状であり、基材層１３１のＬＣＤパネル１１側（Ｚ２側）の面に複数並列に配列されている。
本実施形態の単位プリズム１３２は、その配列方向及びシート面に直交する方向（Ｚ方向）に平行な断面での断面形状が、頂角γとする二等辺三角形形状である。この頂角γは、γ＝９０°である。なお、頂角γは、厳密に９０°ではなく、±５°程度の幅を有していてもよいし、９０°とみなせる程度の多少の誤差を有する角度としてもよい。
単位プリズム１３２は、配列ピッチがＰ３、配列方向の幅がＷ３である。本実施形態の単位プリズム１３２は、その配列方向において配列ピッチと配列方向のレンズ幅が等しい（Ｐ３＝Ｗ３）形状となっている。
【００３７】
第１プリズムシート１３は、例えば、ＰＥＴ（ポリエチレンテレフタレート）樹脂製や、ＰＣ（ポリカーボネート）樹脂製等のシート状の基材層１３１の片面に、紫外線硬化型樹脂等の電離放射線硬化型樹脂により単位プリズム１３２を形成することにより作製できる。
なお、これに限らず、例えば、第１プリズムシート１３は、ＰＣ樹脂、ＭＢＳ（メチルメタクリレート・ブタジエン・スチレン共重合体）樹脂、ＭＳ（メチルメタクリレート・スチレン共重合体）樹脂、ＰＥＴ樹脂、ＰＳ（ポリスチレン）樹脂等の熱可塑性樹脂を押し出し成形することにより形成してもよい。
【００３８】
図４（ｂ）に示すように、単位プリズム１３２の稜線方向を方向Ｒ１とし、発光部２１の延在方向（点光源２１１の配列方向）を方向Ｒ０（Ｙ方向に平行）とするとき、正面方向（Ｚ方向）から見て、方向Ｒ１とＲ０とは、角度θ１をなす。本実施形態では、この角度θ１＝４５°である。
【００３９】
第２プリズムシート１４は、基材層１４１のＬＣＤパネル１１側の面に、単位プリズム１４２が複数並列に配列されたプリズム形状を有するシート状の部材である。この第２プリズムシート１４は、単位プリズム１４２の稜線方向（方向Ｒ２）が前述の第１プリズムシート１３の単位プリズム１３２の稜線方向（方向Ｒ１）と直交する点以外は、第１プリズムシート１３と同様の形態である。
図４（ｂ）に示すように、単位プリズム１３２の稜線方向を方向Ｒ２とするとき、この方向Ｒ２は、正面方向（Ｚ方向）から見て、方向Ｒ０に対しては、角度θ２をなす。本実施形態では、この角度θ２＝１３５°である。また、方向Ｒ１と方向Ｒ２とは、直交する。
【００４０】
なお、方向Ｒ１及び方向Ｒ２が方向Ｒ０となす角度θ１，θ２は、上述の４５°，１３５°に対して数度程度の範囲で異なっていてもよい。また、方向Ｒ１と方向Ｒ２とは、直交するとしたが、厳密に意味するところに加え、同様の光学的機能を奏し、直交と見なせる程度の誤差を有する状態で交差するとしてよい。
また、本実施形態では、θ１＝４５°、θ２＝１３５°としたが、θ１＝１３５°、θ２＝４５°としてもよい。
【００４１】
図１に戻って、光拡散シート１５は、光を拡散する作用を有するシート状の部材である。光拡散シート１５は、プリズムシート群１２のＬＣＤパネル１１側（Ｚ２側）に設けられている。
このような光拡散シート１５を設けることにより、視野角を適度に広げたり、ＬＣＤパネル１１の不図示の画素と単位プリズム１３２，１４２等とによって生じるモアレや、ＬＣＤパネル１１の画素と導光板２２の第１単位光学形状２２１，第２単位光学形状２２５とのモアレ等を低減したりする効果が得られる。
光拡散シート１５は、各種汎用の光拡散性を有するシート状の部材を、面光源装置１０及び透過型表示装置１として所望される光学性能等に合わせて、適宜選択して用いてよい。
【００４２】
このような光拡散シート１５としては、前述の面状光源部２０の光拡散シート２３と同様に、拡散材を含有する樹脂製のシート状の部材や、基材となる樹脂製のシート状の部材の少なくとも片面等に拡散材を含有するバインダをコートした部材や、基材となる樹脂製のシート状の部材の片面等にマイクロレンズアレイが形成されたマイクロレンズシート等を用いることができる。
なお、光拡散シート１５は、上述の形状に限らず、レンチキュラーレンズシート等の各種レンズシート等としてもよい。
【００４３】
また、光拡散シート１５に限らず、特定の偏光状態の光を透過し、それ以外の偏光状態の光については反射する機能を有する偏光選択反射シートを、プリズムシート群１２のＬＣＤパネル１１側に配置してもよい。
このような偏光選択反射シートを用いる場合には、偏光選択反射シートの透過軸が、ＬＣＤパネル１１の入光側（Ｚ１側）に位置する不図示の偏光板の透過軸と平行となるように配置することが、輝度向上や光の利用効率向上の観点から好ましい。このような偏光選択反射シートとしては、例えば、ＤＢＥＦシリーズ（住友スリーエム株式会社製）を使用することができる。
さらに、光拡散シート１５のＬＣＤパネル１１側に、さらに、上述のような偏光選択反射シートや各種光学シート等を配置してもよい。
【００４４】
本実施形態において、導光板２２から出射した光は、光拡散シート２３で指向性を失わない程度に拡散され、第１プリズムシート１３及び第２プリズムシート１４に入射する。
このとき、面状光源部２０からの出射光について、その輝度がピークとなる出射角度をφ１とすると、φ１＝４０〜５５°とすることが、面光源装置１０及び透過型表示装置１の正面輝度を向上させる観点から好ましい。また、面光源装置１０及び透過型表示装置１の正面輝度を向上させるために、φ１＝４９±６°の範囲内、即ち、φ１＝４３〜５５°とすることがより好ましい。
また、このとき、第１プリズムシート１３の単位プリズム１３２の稜線方向である方向Ｒ１と及び第２プリズムシート１４の単位プリズム１４２の稜線方向である方向Ｒ２とは、直交し、かつ、発光部２１の延在方向（点光源２１１の配列方向）である方向Ｒ０に対して、面光源装置１０の厚み方向（Ｚ方向、正面方向）から見て、θ１＝４５°、θ２＝１３５°（又は、θ１＝１３５°、θ２＝４５°）をなすことが、面光源装置１０及び透過型表示装置１の正面輝度を向上させるために好ましい。
【００４５】
本実施形態の面光源装置１０は、上記構成を満たしており、このような形態とすることにより、本実施形態の面光源装置１０は、発光部２１が発した光を効率よく光をＬＣＤパネル１１へ向けて出射することができ、その正面輝度を向上させることができる。これにより、透過型表示装置１の正面輝度も向上させることができる。
【００４６】
ここで、単位プリズム１３２，１４２の稜線方向である方向Ｒ１，Ｒ２が発光部２１の延在方向（点光源２１１の配列方向）である方向Ｒ０となす角度θ１，θ２、及び、面状光源部２０からの出射角度（即ち、第１プリズムシート１３への入射角度）φ１を変化させ、面光源装置１０の正面輝度に関して評価を行った。
出射角度φ１は、面状光源部２０の出光面（面状光源部２０の最も出光側の面、本実施形態では光拡散シート２３のＬＣＤパネル１１側の面）からの出射角度であり、面状光源部２０の出光面の法線方向（正面方向，Ｚ方向）に対して面状光源部２０からの出射光の進行方向がなす角度である。
【００４７】
図５は、面状光源部２０からの出射光の出射角度φ１及びシミュレーション時の測定条件を説明する図である。図５では、シミュレーション時の面状光源部２０と第１プリズムシート１３及び第２プリズムシート１４とを、導光方向（Ｘ方向）及び厚み方向（Ｚ方向）に平行な断面を示している。
評価に使用した面光源装置１０は、面状光源部２０と、プリズムシート群１２（第１プリズムシート１３、第２プリズムシート１４）とを備えており、面状光源部２０の出光面（最もＬＣＤパネル側の面）は、完全拡散面となっている。
【００４８】
（評価１）
評価１では、θ１＝４５°、θ２＝１３５°であるプリズムシート群１２と、θ１＝９０°、θ２＝０°であるプリズムシート群１２とを用意し、光の導光方向（Ｘ方向）及び面光源装置１０の厚み方向（Ｚ方向）に平行な断面における面状光源部２０からの出射角度φ１を＋３０〜＋６０°まで変化させ、その正面輝度をシミュレーションにより算出した。
正面輝度は、第２プリズムシート１４をＺ方向から見た場合の幾何学的中心点を正面方向からディテクターにより測定した場合を想定した。ディテクターの検知範囲は、ＸＺ平面において、面光源装置１０からの出射角度０°±５°（面光源装置１０の出光面に対する法線方向に対して±５°）の角度範囲とした。また、面状光源部２０からの出射角度φ１については、輝度がピークとなる出射角度φ１に対して±５°の角度範囲（φ１±５°）をその出射角度φ１とした。なお、理解を容易にするために、面状光源部２０及び面光源装置１０からの出射角度は、図５に示す断面において、それぞれの出光面に対する法線方向に対して対向面側を正、入光面側を負とする。
【００４９】
【表１】
2017208287.tif 000003
【００５０】
表１は、評価１のシミュレーション結果である。表１では、θ１＝４５°、θ２＝１３５°であるプリズムシート群１２に対して、面状光源部２０からの出射光の出射角度φ１＝５０°である組み合わせの測定例が最も正面輝度が高かったため、この測定例の正面輝度を基準（１００％）とし、他の組み合わせの測定例の正面輝度を割合で表示した。
表１に示すように、θ１＝４５°、θ２＝１３５°であるプリズムシート群１２に対して、面状光源部２０からの出射光の出射角度φ１＝５０°である測定例が最も正面輝度が高かった。
また、全体的に、θ１＝４５°、θ２＝１３５°であるプリズムシート群１２を用いた測定例の方が、θ１＝９０°、θ２＝０°であるプリズムシート群１２を用いた測定例よりも正面輝度が高かった。
また、θ１＝４５°、θ２＝１３５°であるプリズムシート群１２を用いた測定例において、面状光源部２０からの出射光の出射角度φ１は、４０〜５５°の範囲である測定例は、出射角度φ１がその範囲外であるものよりも正面輝度が高かった。
以上のことから、θ１＝４５°、θ２＝１３５°であるプリズムシート群１２に対して、面状光源部２０からの出射角度φ１をφ１＝４０〜５５°とすることが、面光源装置１０の正面輝度の向上に効果的であった。
【００５１】
（評価２）
評価２では、θ１＝４５°、θ２＝１３５°であるプリズムシート群１２に対して、面状光源部２０からの出射角度φ１を、４３°，４９°，５５°とした場合の主たる光線の出射角度φ２を調べた。
主たる光線のプリズムシート群１２からの出射角度φ２（評価用の面光源装置１０の出光面からの出射角度）は、０°±４．５°以内となることが、正面輝度の向上を図る観点から好ましい。
図６は、面状光源部２０からの出射角度φ１を４３°，４９°，５５°とした場合の光線の様子を示す図である。図６では、第１プリズムシート１３及び第２プリズムシート１４は簡略化して示している。
【００５２】
【表２】
2017208287.tif 000004
【００５３】
表２は、φ１を４３°，４９°，５５°とした場合のプリズムシート群１２からの出射角度φ２を示す表である。
φ１＝４３°のとき、φ２＝−４．５°であり、φ１＝４９°のとき、φ２＝０°であり、φ１＝５５°のとき、φ２＝＋４．５°である。
図６及び表２の結果から、面状光源部２０からの出射角度φ１は、φ１＝４３〜５５°の範囲、即ち、φ１＝４９±６°の範囲内とすることにより、プリズムシート群１２からの出射角度φ２が０±４．５°の範囲内を満たすことがわかった。
【００５４】
以上のことから、面光源装置１０の正面輝度を向上させるためには、以下の構成を備えることが好ましい。
（１）プリズムシート群の単位プリズム１３２，１４２の稜線方向である方向Ｒ１，Ｒ２は、互いに直交し、かつ、方向Ｒ１，Ｒ２が発光部２１の延在方向（点光源２１１の配列方向）である方向Ｒ０に対してなす角度θ１，θ２は、θ１＝４５°、θ２＝１３５°とする。
（２）面状光源部２０からの出射光の出射角度φ１は、４０〜５５°とする。より好ましくは、この出射角度φ１は、４３〜５５°とする。
【００５５】
よって、本実施形態は、上記の構成を満たしているので、本実施形態によれば、正面輝度の高い面光源装置１０及び透過型表示装置１とすることができる。
【００５６】
（変形形態）
以上説明した実施形態に限定されることなく、種々の変形や変更が可能であって、それらも本発明の範囲内である。
（１）導光板２２の第２単位光学形状２２５の形状は、所望する光学性能等に応じて適宜変更してもよい。
図７は、変形形態の第２単位光学形状２２５を説明する図である。図７では、変形形態の第２単位光学形状２２５の配列方向（Ｙ方向）及び正面方向（Ｚ方向）に平行な断面の一部を拡大して示している。
第２単位光学形状２２５は、凹状であってもよい。例えば、図７（ａ）に示すように、第２単位光学形状２２５は、その断面において、凹曲面２２５ａ及び傾斜面２２５ｂから構成されている形状としてもよい。
【００５７】
これにより、第２単位光学形状２２５は、導光板２２内を導光する光を、よりＹ方向に広げて導光板２２から出光することができ、仮に、発光部２１に使用されるＬＥＤに色ムラや輝度ムラ等が存在していたとしても、出光面２２ｃの中央部分に筋状のムラが生じたり、入光面２２ａ近傍にホットスポットが生じたりすることを抑制することができる。
また、第２単位光学形状２２５をこのような形態にすることにより、導光板２２の出光面に付着した塵等の異物をエアーブロー等によって容易に除去することが可能になる。
第２単位光学形状２２５は、図７（ｂ）に示すように、円の一部形状に凹んだ形状としてもよいし、図示しないが、楕円の一部形状、多角形状等に凹んだ形状としてもよい。
第２単位光学形状２２５は、所望する光学性能等に応じて、適宜変更してよい。
【００５８】
（２）導光板２２は、出光面２２ｃ及び背面２２ｄのＺ方向における位置を、実施形態に示した位置とは逆にして配置してもよい。即ち、導光板２２は、第１単位光学形状２２１が出光面側（Ｚ２側）に形成され、第２単位光学形状２２５が背面側（Ｚ１側）に形成される形態としてもよい。
このような形態とする場合、第１単位光学形状２２１及び第２単位光学形状２２５は、上述の実施形態の第１単位光学形状２２１及び第２単位光学形状２２５のＺ方向の形状が逆になった形態としてもよいし、例えば、以下に示すような形状としてもよい。
【００５９】
図８は、変形形態の導光板４２の形状を説明する図である。
図８（ａ）に示すように、変形形態の導光板４２は、出光面４２ｃ側に凹状の第１単位光学形状４２１が形成され、図示しないが背面側に第２単位光学形状２２５が形成されている形態としてもよい。この第１単位光学形状４２１は、第１斜面部４２２、第２斜面部４２３、頂面部４２４を有している。
また、図８（ｂ）に示すように、変形形態の導光板４２は、出光面４２ｃ側に凸状の第１単位光学形状４２１が形成され、図示しないが背面側に第２単位光学形状２２５が形成されている形態としてもよい。この場合、第１単位光学形状４２１は、第１斜面部４２２、第２斜面部４２３を有し、第１単位光学形状４２１間には平面部４２５を有している。
このような形態とした場合にも、面状光源部２０からの出射光が指向性を有し、輝度がピークとなる出射角度φ１＝４０〜５５°（より好ましくはφ１＝４３〜５５°）とすることができ、面光源装置１０及び透過型表示装置１の正面輝度を向上させることができる。
【００６０】
（３）実施形態において、導光板２２の総厚が導光方向において一定であり、第１単位光学形状２２１間の溝部分が対向面側へ向かうにつれて深くなる形態を示したが、例えば、以下のような形状としてもよい。
図９は、変形形態の導光板２２及び第１単位光学形状２２１を説明する図である。
図９（ａ）に示すように、例えば、第２単位光学形状２２５の頂点から第１単位光学形状２２１間の谷底となる点ｖまでの厚さｄが一定であり、第１単位光学形状２２１の高さが配列方向（Ｘ方向）に沿って対向面側（Ｘ２側）へ向かうにつれて大きくなる形態としてもよい。
また、第１単位光学形状２２１は、図９（ｂ）に示すように、頂面部２２４が第２斜面部２２３側へ向かうにつれて背面側となる階段状としてもよいし、図示しないが、導光板２２の板面（ＸＹ面）に対して、第２斜面部２２３側が背面側となるように傾斜していてもよい。
【００６１】
（４）面状光源部２０は、光拡散シート２３を備えない形態としてもよい。例えば、導光板２２の出光面２２ｃからの光の出射角度が４０〜５５°（より好ましくは、φ１＝４３〜５５°）であるならば、面状光源部２０は、光拡散シート２３を備えない形態としてもよい。
【００６２】
（５）第１プリズムシート１３、第２プリズムシート１４の単位プリズム１３２，１４２は、その配列方向及び厚み方向に平行な断面での断面形状が、二等辺三角形形状である例を示したが、これに限らず、三角形形状の少なくとも一方の面が複数の面からなる折れ面状としてもよいし、曲面と平面とを組み合わせた形状としてもよい。また、単位プリズム１３２，１４２は、五角形形状等の多角形形状としてもよいし、不等辺三角形形状のように、厚み方向（Ｚ方向）を軸として断面形状が配列方向において非対称な形状としてもよい。
【００６３】
（６）第１単位光学形状２２１は、板面内（ＸＹ平面内）において導光方向に直交する方向（Ｙ方向）に不連続な島状に形成されていてもよい。
例えば、第１単位光学形状２２１は、背面側に凸となる略四角台形状であり、導光方向及びこれに直交する方向（Ｘ方向及びＹ方向）に配列される形態としてもよい。
【００６４】
（７）導光板２２の背面側に形成される第１単位光学形状２２１は、その配列方向における配列ピッチＰ１が配列方向（Ｘ方向）において、段階的又は連続的に、変化する形態としてもよい。また、第２斜面部２２３の角度αに関しても、同様に、配列方向（Ｘ方向）において、段階的又は連続的に、変化する形態としてもよい。良好な光学性能を得るために、角度α、配列ピッチＰ１は適宜設定してよい。
【００６５】
（８）面光源装置１０は、対向面２２ｂを第２入光面とし、この面に対向する位置にさらに発光部２１を配置してもよい。
この場合、第１単位光学形状２２１は、その配列方向において、入光面２２ａから導光板２２の中心点までは、上述の実施形態の形状であり、その中心点から対向面２２ｂまでは、上述の実施形態の形状のＸ方向を逆転した形態となる。このとき、導光板２２の背面２２ｄは、ＸＺ面に平行な断面において、Ｘ方向の中心を通りＺ方向に平行な直線を軸として対称な形状となる。
【００６６】
（９）第２単位光学形状２２５は、配列ピッチＰ２が配列方向における幅Ｗ２よりも大きく、各第２単位光学形状２２５間に、平面部や凹部等が形成された形状としてもよい。なお、第１単位光学形状２２１についても同様である。
【００６７】
（１０）導光板２２の総厚は、入光面側（Ｘ１側）が厚く、対向面側（Ｘ２側）へ進むにつれて次第に薄くなる形状としてもよい。
【００６８】
（１１）面状光源部２０は、導光板２２の背面側（Ｚ１側）に反射シート２４が配置される例を示したが、これに限らず、例えば、反射シートではなく、面光源装置１０又は透過型表示装置１の筐体内部の導光板２２の背面側に位置する面に、光反射性を有する塗料や金属箔等を塗付又は転写等して形成してもよい。
【００６９】
（１２）第１プリズムシート１３の単位プリズム１３２と第２プリズムシート１４の単位プリズム１４２とは、その配列ピッチや形状、頂角等が異なっていてもよい。また、例えば、第１プリズムシート１３と第２プリズムシート１４とは、その材料や屈折率等が異なっていてもよい。
【００７０】
（１３）面光源装置１０は、プリズムシート群１２よりも出光側に、光拡散シート１５に加えて各種レンズ形状やプリズム形状が形成された他の光学シートや各種光学作用を有する光学シート等を組み合わせ配置してもよい。
【００７１】
なお、実施形態及び変形形態は、適宜組み合わせて用いることもできるが、詳細な説明は省略する。また、本発明は、以上説明した実施形態等によって限定されることはない。
【符号の説明】
【００７２】
１    透過型表示装置
１０    面光源装置
１１    ＬＣＤパネル
１２    プリズムシート群
１３    第１プリズムシート
１４    第２プリズムシート
１３２，１４２    単位プリズム
１５    光拡散シート
２０    面状光源部
２１    発光部
２２    導光板
２２１    第１単位光学形状
２２２    第１斜面部
２２３    第２斜面部
２２４    頂面部
２２５    第２単位光学形状
２３    光拡散シート
２４    反射シート
【図１】
2017208287.tif 000005
【図２】
2017208287.tif 000006
【図３】
2017208287.tif 000007
【図４】
2017208287.tif 000008
【図５】
2017208287.tif 000009
【図６】
2017208287.tif 000010
【図７】
2017208287.tif 000011
【図８】
2017208287.tif 000012
【図９】
2017208287.tif 000013